(57)【要約】【課題】手間が掛からず簡単な操作で開示制限できる情報処理装置を実現する。【解決手段】ユーザ情報を保存する際には、保存しようとするユーザ情報を情報記憶部１３に格納すると共に、秘匿記憶条件記憶部１０に記憶される判別条件に基づき当該ユーザ情報の情報記憶状態（秘匿記憶状態または公開記憶状態）を判別し、判別した情報記憶状態を当該ユーザ情報に対応付けて情報記憶状態記憶部１４に格納する。ユーザ情報を閲覧する際には、表示要求されたユーザ情報が公開閲覧条件記憶部１５に記憶される判別条件に一致するかどうかを判別し、判別条件に一致する場合には、表示要求されたユーザ情報に対応付けられた情報記憶状態を情報記憶状態記憶部１４から取得し、取得した情報記憶状態が「秘匿記憶状態」ならば、ユーザ情報に替えてダミー情報を表示する為、手間が掛からず簡単な操作で開示制限することができる。【選択図】図１
2013065230.tif 000002
【特許請求の範囲】
【請求項１】
ユーザ情報を記憶するユーザ情報記憶手段と、
前記ユーザ情報の記憶状態を判別する状態判別手段と、
前記状態判別手段により判別された記憶状態を、前記ユーザ情報記憶手段に記憶されたユーザ情報に対応付けて記憶する状態記憶手段と、
表示要求されたユーザ情報の記憶状態を、前記状態記憶手段から取得する状態取得手段と、
前記状態取得手段により取得された記憶状態が第１の記憶状態の場合には、表示要求されたユーザ情報を前記ユーザ情報記憶手段から読み出して表示し、一方、前記状態取得手段により取得された記憶状態が第２の記憶状態の場合には、表示要求されたユーザ情報に替えてダミー情報を表示する情報表示手段と
を具備することを特徴とする情報処理装置。
【請求項２】
前記状態判別手段は、前記ユーザ情報を他者に開示可能な情報として扱う第１の記憶状態又は他者に開示しない情報として扱う第２の記憶状態の何れであるかを判別することを特徴とする請求項１記載の情報処理装置。
【請求項３】
前記状態判別手段は、情報種別および秘匿記憶条件を記憶する秘匿記憶条件記憶手段を備え、この秘匿記憶条件記憶手段に記憶される秘匿記憶条件に該当する情報種別が前記ユーザ情報中に含まれるか否かに応じて、第１の記憶状態又は第２の記憶状態の何れであるかを判別することを特徴とする請求項１乃至２の何れかに記載の情報処理装置。
【請求項４】
ユーザ情報を記憶するユーザ情報記憶過程と、
前記ユーザ情報記憶過程により記憶されたユーザ情報の記憶状態を判別する状態判別過程と、
前記状態判別過程により判別された記憶状態を、前記ユーザ情報記憶過程で記憶されたユーザ情報に対応付けて記憶する状態記憶過程と、
前記状態記憶過程で記憶された記憶状態の内、表示要求されたユーザ情報の記憶状態を取得する状態取得過程と、
前記状態取得過程により取得された記憶状態が第１の記憶状態の場合には、前記ユーザ情報記憶過程で記憶されたユーザ情報の内、表示要求されたユーザ情報を読み出して表示し、一方、前記状態取得過程により取得された記憶状態が第２の記憶状態の場合には、表示要求されたユーザ情報に替えてダミー情報を表示する情報表示過程と
を具備することを特徴とする情報処理方法。
【請求項５】
前記状態判別過程は、前記ユーザ情報を他者に開示可能な情報として扱う第１の記憶状態又は他者に開示しない情報として扱う第２の記憶状態の何れであるかを判別することを特徴とする請求項４記載の情報処理方法。
【請求項６】
前記状態判別過程は、情報種別および秘匿記憶条件を記憶する秘匿記憶条件記憶部を備え、この秘匿記憶条件記憶部に記憶される秘匿記憶条件に該当する情報種別が前記ユーザ情報中に含まれるか否かに応じて、第１の記憶状態又は第２の記憶状態の何れであるかを判別することを特徴とする請求項４乃至５の何れかに記載の情報処理方法。
【請求項７】
コンピュータに、
ユーザ情報を記憶するユーザ情報記憶ステップと、
前記ユーザ情報記憶ステップにより記憶されたユーザ情報の記憶状態を判別する状態判別ステップと、
前記状態判別ステップにより判別された記憶状態を、前記ユーザ情報記憶ステップで記憶されたユーザ情報に対応付けて記憶する状態記憶ステップと、
前記状態記憶ステップで記憶された記憶状態の内、表示要求されたユーザ情報の記憶状態を取得する状態取得ステップと、
前記状態取得ステップにより取得された記憶状態が第１の記憶状態の場合には、前記ユーザ情報記憶ステップで記憶されたユーザ情報の内、表示要求されたユーザ情報を読み出して表示し、一方、前記状態取得ステップにより取得された記憶状態が第２の記憶状態の場合には、表示要求されたユーザ情報に替えてダミー情報を表示する情報表示ステップと
を実行させることを特徴とするプログラム。
【請求項８】
前記状態判別ステップは、前記ユーザ情報を他者に開示可能な情報として扱う第１の記憶状態又は他者に開示しない情報として扱う第２の記憶状態の何れであるかを判別することを特徴とする請求項７記載のプログラム。
【請求項９】
前記状態判別ステップは、情報種別および秘匿記憶条件を記憶する秘匿記憶条件記憶部を備え、この秘匿記憶条件記憶部に記憶される秘匿記憶条件に該当する情報種別が前記ユーザ情報中に含まれるか否かに応じて、第１の記憶状態又は第２の記憶状態の何れであるかを判別することを特徴とする請求項７乃至８の何れかに記載のプログラム。
【発明の詳細な説明】
【技術分野】
【０００１】
本発明は、装置に記憶されたユーザ情報を他者に対して開示制限する情報処理装置、情報処理方法およびプログラムに関する。
【背景技術】
【０００２】
装置に記憶されたユーザ情報を他者に対して開示制限する技術が知られている。この種の技術として、例えば特許文献１には、ユーザ情報を閲覧する際に、カメラで撮影して特定した人物情報に基づき閲覧させて良い人物であるか否かを判別する機能を備えたデータ表示装置が開示されている。また、特許文献２や特許文献３には、ユーザ情報を他者に開示させるかどうかを、特定のユーザ操作（または外部機器からの指示）の有無で判別する技術が開示されている。
【先行技術文献】
【特許文献】
【０００３】
【特許文献１】特開２０００−３２２３５８号公報
【特許文献２】特許第３８９６７４０号公報
【特許文献３】特開２００８−４６１７３号公報
【発明の概要】
【発明が解決しようとする課題】
【０００４】
ところで、上記特許文献１乃至３に開示の技術では、開示制限する他者を特定するための人物情報を予め作成して登録する処理が必要になったり、他者に見せるかどうかの判断に特定のユーザ操作を必要としたりする為、その処理や操作に手間が掛かり煩わしいという問題がある。
【０００５】
本発明は、このような事情に鑑みてなされたもので、手間が掛からず簡単な操作で開示制限することができる情報処理装置、情報処理方法およびプログラムを提供することを目的としている。
【課題を解決するための手段】
【０００６】
上記目的を達成するため、本発明の情報処理装置は、ユーザ情報を記憶するユーザ情報記憶手段と、前記ユーザ情報の記憶状態を判別する状態判別手段と、前記状態判別手段により判別された記憶状態を、前記ユーザ情報記憶手段に記憶されたユーザ情報に対応付けて記憶する状態記憶手段と、表示要求されたユーザ情報の記憶状態を、前記状態記憶手段から取得する状態取得手段と、前記状態取得手段により取得された記憶状態が第１の記憶状態の場合には、表示要求されたユーザ情報を前記ユーザ情報記憶手段から読み出して表示し、一方、前記状態取得手段により取得された記憶状態が第２の記憶状態の場合には、表示要求されたユーザ情報に替えてダミー情報を表示する情報表示手段とを具備することを特徴とする。
【０００７】
また、本発明の情報処理方法は、ユーザ情報を記憶するユーザ情報記憶過程と、前記ユーザ情報記憶過程により記憶されたユーザ情報の記憶状態を判別する状態判別過程と、前記状態判別過程により判別された記憶状態を、前記ユーザ情報記憶過程で記憶されたユーザ情報に対応付けて記憶する状態記憶過程と、前記状態記憶過程で記憶された記憶状態の内、表示要求されたユーザ情報の記憶状態を取得する状態取得過程と、前記状態取得過程により取得された記憶状態が第１の記憶状態の場合には、前記ユーザ情報記憶過程で記憶されたユーザ情報の内、表示要求されたユーザ情報を読み出して表示し、一方、前記状態取得過程により取得された記憶状態が第２の記憶状態の場合には、表示要求されたユーザ情報に替えてダミー情報を表示する情報表示過程とを具備することを特徴とする。
【０００８】
さらに、本発明のプログラムは、コンピュータに、ユーザ情報を記憶するユーザ情報記憶ステップと、前記ユーザ情報記憶ステップにより記憶されたユーザ情報の記憶状態を判別する状態判別ステップと、前記状態判別ステップにより判別された記憶状態を、前記ユーザ情報記憶ステップで記憶されたユーザ情報に対応付けて記憶する状態記憶ステップと、前記状態記憶ステップで記憶された記憶状態の内、表示要求されたユーザ情報の記憶状態を取得する状態取得ステップと、前記状態取得ステップにより取得された記憶状態が第１の記憶状態の場合には、前記ユーザ情報記憶ステップで記憶されたユーザ情報の内、表示要求されたユーザ情報を読み出して表示し、一方、前記状態取得ステップにより取得された記憶状態が第２の記憶状態の場合には、表示要求されたユーザ情報に替えてダミー情報を表示する情報表示ステップとを実行させることを特徴とする。
【発明の効果】
【０００９】
本発明では、手間が掛からず簡単な操作で開示制限することができる。
【図面の簡単な説明】
【００１０】
【図１】実施の一形態による情報処理装置１００の機能的構成を示すブロック図である。
【図２】秘匿記憶条件記憶部１０の記憶内容の一例を示す図である。
【図３】情報記憶状態記憶部１４の記憶内容の一例を示す図である。
【図４】公開閲覧条件記憶部１７に記憶される公開閲覧条件の一例を示す図である。
【図５】ユーザ情報保存処理の動作を示すフローチャートである。
【図６】ユーザ情報閲覧処理の動作を示すフローチャートである。
【図７】変形例の機能的構成を示すブロック図である。
【図８】付記１記載の情報処理装置の構成を示すブロック図である。
【発明を実施するための形態】
【００１１】
以下、図面を参照して本発明の実施形態について説明する。
Ａ．構成
図１は、実施の一形態による情報処理装置１００の機能的構成を示すブロック図である。この図に示す情報処理装置１００は、秘匿記憶条件記憶部１０、情報記憶手段１１、情報記憶状態関連付け手段１２、情報記憶部１３、情報記憶状態記憶部１４、公開閲覧条件記憶部１５、情報表示手段１６および情報記憶状態適用手段１７から構成される。
【００１２】
これら機能要素１０〜１７は、例えばＣＰＵ、書き込み／読み出し可能なＲＡＭ等のメモリおよびＬＣＤ等の表示部を備える端末装置において具現される。すなわち、ＣＰＵの機能が情報記憶手段１１、情報記憶状態関連付け手段１２および情報記憶状態適用手段１７に相当し、メモリの機能が秘匿記憶条件記憶部１０、情報記憶部１３、情報記憶状態記憶部１４および公開閲覧条件記憶部１５に相当し、表示部の機能が情報表示手段１６に相当する。
【００１３】
図１において、秘匿記憶条件記憶部１０には、保存しようとするユーザ情報（例えばブラウザの閲覧履歴やメール送受信、通話履歴等）を、端末所有ユーザ以外の他者に開示しない秘匿情報として扱うか否かを判別するための判別条件が記憶される。秘匿記憶条件記憶部１０に記憶される判別条件の具体的な内容については追って述べる。情報記憶手段１１は、保存しようとするユーザ情報（ブラウザの閲覧履歴やメール送受信、通話履歴等）を情報記憶状態関連付け手段１２に送出する。
【００１４】
情報記憶状態関連付け手段１２は、情報記憶手段１１から送出されるユーザ情報を取得し、取得したユーザ情報が秘匿記憶条件記憶部１０に記憶される判別条件に一致するかどうかを判別し、判別条件に一致すると、当該ユーザ情報の記憶属性を表す情報記憶状態を、端末所有ユーザ以外の他者に開示しない秘匿記憶状態に設定し、一方、判別条件に一致しなければ、当該ユーザ情報の記憶属性を表す情報記憶状態を他者に開示可能な公開記憶状態に設定する。また、情報記憶状態関連付け手段１２は、取得したユーザ情報を情報記憶部１３に格納する一方、設定した情報記憶状態（秘匿記憶状態または公開記憶状態）を当該ユーザ情報に対応付けて情報記憶状態記憶部１４に格納する。
【００１５】
ここで、図２を参照して秘匿記憶条件記憶部１０に記憶される判別条件の具体的な一例と、その判別条件に基づきユーザ情報の情報記憶状態を設定する情報記憶状態関連付け手段１２の設定例とについて説明する。秘匿記憶条件記憶部１０に記憶される判別条件は、図２に図示する通り、情報種別および秘匿記憶条件から構成される。
【００１６】
図２に図示する一例において、情報種別が「位置情報」ならば、秘匿記憶条件は「緯度・経度で指定される位置範囲」あるいは「地名（駅名）」となり、この場合、ユーザ情報中に秘匿記憶条件（「緯度・経度で指定される位置範囲」あるいは「地名（駅名）」）に該当する「位置情報」が含まれると、情報記憶状態関連付け手段１２では、当該ユーザ情報を端末所有ユーザ以外の他者に開示しない秘匿記憶状態に設定する。
【００１７】
また、情報種別が「ネットワーク」ならば、秘匿記憶条件は「ドメイン名」や「ＩＰアドレス」となり、この場合、ユーザ情報中に秘匿記憶条件（「ドメイン名」や「ＩＰアドレス」）に該当する「ネットワーク」の記述が含まれると、情報記憶状態関連付け手段１２では、当該ユーザ情報を端末所有ユーザ以外の他者に開示しない秘匿記憶状態に設定する。
【００１８】
さらに、情報種別が「キーワード」ならば、秘匿記憶条件は「プライベート」となり、この場合、ユーザ情報中に秘匿記憶条件「プライベート」という「キーワード」が含まれていると、情報記憶状態関連付け手段１２では、当該ユーザ情報を端末所有ユーザ以外の他者に開示しない秘匿記憶状態に設定する。
【００１９】
情報記憶部１３には、情報記憶状態関連付け手段１２が情報記憶手段１１から取得したユーザ情報が格納される。情報記憶状態記憶部１４には、図３に図示するように、情報記憶部１３に格納したユーザ情報を識別するチェックサム（ハッシュ値）と、そのユーザ情報について情報記憶状態関連付け手段１２により設定された情報記憶状態（秘匿記憶状態または公開記憶状態）とを対応付けて格納される。
【００２０】
公開閲覧条件記憶部１５は、情報記憶部１３に記憶されたユーザ情報を端末所有ユーザ以外の他者にも閲覧可能にする公開閲覧情報として扱うか否かを判別するための判別条件を記憶する。ここで、図４を参照して公開閲覧条件記憶部１５に記憶される判別条件の一例について説明する。公開閲覧条件記憶部１５に記憶される判別条件は、情報種別および公開閲覧条件から構成される。図４に図示する一例において、情報種別が「位置情報」ならば、公開閲覧条件は「緯度・経度で指定される位置範囲」あるいは「地名（駅名）」となる。また、情報種別が「ネットワーク」ならば、秘匿記憶条件は「ドメイン名」となる。
【００２１】
情報表示手段１６は、ユーザ情報の表示（閲覧）を情報記憶状態適用手段１７に要求すると共に、その表示要求に応じて情報記憶状態適用手段１７が情報記憶部１３から取得したユーザ情報を表示する。
【００２２】
情報記憶状態適用手段１７は、情報表示手段１６から表示要求されたユーザ情報が公開閲覧条件記憶部１５に記憶される判別条件に一致するかどうかを判別し、一致しなければ、当該ユーザ情報を情報記憶部１３から取得して情報表示手段１６に送出する。一方、情報表示手段１６から表示要求されたユーザ情報が公開閲覧条件記憶部１５に記憶される判別条件に一致すると、情報記憶状態適用手段１７は、当該ユーザ情報に対応付けられた情報記憶状態を情報記憶状態記憶部１４から取得し、取得した情報記憶状態が秘匿記憶状態または公開記憶状態の何れであるかを判別し、公開記憶状態であったならば、当該ユーザ情報を情報記憶部１３から取得して情報表示手段１６へ送出する。
【００２３】
これに対し、情報記憶状態記憶部１４から取得した情報記憶状態が秘匿記憶状態であると、情報記憶状態適用手段１７は、予め情報記憶部１３に記憶されるダミー情報を読み出して情報表示手段１６へ送出する。これにより、表示要求されたユーザ情報が閲覧不可となり、手間が掛からず簡単な操作で開示制限することが可能になる。
【００２４】
Ｂ．動作
次に、図５〜図６を参照して上記構成による情報処理装置１００の動作を説明する。以下では、情報記憶手段１１および情報記憶状態関連付け手段１２が実行するユーザ情報保存処理の動作と、情報表示手段１６および情報記憶状態適用手段１７が実行するユーザ情報閲覧処理の動作とについて述べる。
【００２５】
（１）ユーザ情報保存処理の動作
図５に図示するフローチャートを参照してユーザ情報保存処理の動作を説明する。ステップＳ１０１では、情報記憶手段１１が保存しようとするユーザ情報（例えばブラウザの閲覧履歴やメール送受信、通話履歴等）を情報記憶状態関連付け手段１２に送出する。すると、ステップＳ１０２において、情報記憶状態関連付け手段１２が情報記憶手段１１から送出されるユーザ情報を取得する。
【００２６】
続いて、ステップＳ１０３では、情報記憶状態関連付け手段１２が秘匿記憶条件記憶部１０から「情報種別」および「秘匿記憶条件」からなる判別条件を読み出し、続くステップＳ１０４では、上記ステップＳ１０２で取得したユーザ情報が、読み出した判別条件に一致するかどうかを判別する。ユーザ情報が判別条件に一致した場合、すなわちユーザ情報中に「秘匿記憶条件」に該当する「情報種別」が含まれていると、判断結果は「ＹＥＳ」になり、ステップＳ１０５に進む。
【００２７】
そして、ステップＳ１０５〜Ｓ１０６では、情報記憶状態関連付け手段１２がユーザ情報を情報記憶部１３に格納すると共に、当該ユーザ情報の情報記憶状態を端末所有ユーザ以外の他者に開示しない秘匿記憶状態に設定し、設定した情報記憶状態（秘匿記憶状態）を当該ユーザ情報に対応付けて情報記憶状態記憶部１４に格納して本処理を終える。
【００２８】
これに対し、上記ステップＳ１０２にて取得したユーザ情報が判別条件に一致しない場合、すなわちユーザ情報中に「秘匿記憶条件」に該当する「情報種別」が含まれていなければ、上記ステップＳ１０４の判断結果は「ＮＯ」になり、ステップＳ１０７に進む。ステップＳ１０７〜Ｓ１０８では、情報記憶状態関連付け手段１２がユーザ情報を情報記憶部１３に格納すると共に、当該ユーザ情報の情報記憶状態を端末所有ユーザ以外の他者に閲覧可能にする公開記憶状態に設定し、設定した情報記憶状態（公開記憶状態）を当該ユーザ情報に対応付けて情報記憶状態記憶部１４に格納して本処理を終える。
【００２９】
このように、ユーザ情報保存処理では、保存しようとするユーザ情報を取得して情報記憶部１３に格納すると共に、秘匿記憶条件記憶部１０に記憶される判別条件に基づき当該ユーザ情報の情報記憶状態（秘匿記憶状態または公開記憶状態）を判別し、判別した情報記憶状態を当該ユーザ情報に対応付けて情報記憶状態記憶部１４に格納する。
【００３０】
（２）ユーザ情報閲覧処理の動作
図６に図示するフローチャートを参照してユーザ情報閲覧処理の動作を説明する。ステップＳ２０１では、情報表示手段１６がユーザ情報の表示（閲覧）を情報記憶状態適用手段１７に要求する。続いて、ステップＳ２０２〜Ｓ２０３では、情報表示手段１６からの表示要求を取得した情報記憶状態適用手段１７が、情報記憶部１３に記憶されたユーザ情報を端末所有ユーザ以外の他者にも閲覧可能にする公開閲覧情報として扱うか否かを判別するための判別条件を公開閲覧条件記憶部１５から読み出す。
【００３１】
次いで、ステップＳ２０４に進むと、表示要求されたユーザ情報が上記ステップＳ２０３で公開閲覧条件記憶部１５から読み出した判別条件に一致するかどうかを情報記憶状態適用手段１７が判別する。そして、表示要求されたユーザ情報が判別条件に一致した場合、すなわちユーザ情報中に「公開閲覧条件」に該当する「情報種別」が含まれていると、判断結果は「ＹＥＳ」になり、ステップＳ２０５に進む。
【００３２】
ステップＳ２０５〜Ｓ２０６では、情報記憶状態適用手段１７が、表示要求されたユーザ情報に対応付けられた情報記憶状態を情報記憶状態記憶部１４から取得し、取得した情報記憶状態が「秘匿記憶状態」または「公開記憶状態」の何れであるかを判別する。そして、取得した情報記憶状態が「秘匿記憶状態」であると、ステップＳ２０７に進む。ステップＳ２０７では、情報記憶状態適用手段１７が、予め情報記憶部１３に記憶されるダミー情報を読み出して情報表示手段１６へ送出する。そして、ステップＳ２０８では、情報表示手段１６が情報記憶状態適用手段１７から取得したダミー情報を表示して本処理を終える。
【００３３】
一方、上記ステップＳ２０４において判断結果が「ＮＯ」の場合、つまり表示要求されたユーザ情報が判別条件に一致しない場合や、上記ステップＳ２０６において取得した情報記憶状態が「公開記憶状態」と判別された場合には、ステップＳ２０９に進む。そして、ステップＳ２０９〜Ｓ２１０では、情報記憶状態適用手段１７が、表示要求されたユーザ情報を情報記憶部１３から取得して情報表示手段１６に送出する。この後、ステップＳ２０８に進み、情報表示手段１６が情報記憶状態適用手段１７から取得したユーザ情報を表示して本処理を終える。
【００３４】
このように、ユーザ情報閲覧処理では、ユーザ情報の表示を要求すると、表示要求されたユーザ情報が公開閲覧条件記憶部１５に記憶される判別条件に一致するかどうか、すなわちユーザ情報中に「公開閲覧条件」に該当する「情報種別」が含まれているか否かを判別し、判別条件に一致した場合には、表示要求されたユーザ情報に対応付けられた情報記憶状態を情報記憶状態記憶部１４から取得し、取得した情報記憶状態が「秘匿記憶状態」であると、予め情報記憶部１３に記憶されるダミー情報を読み出して表示する。
【００３５】
以上のように、本実施形態では、ユーザ情報を保存する際には、保存しようとするユーザ情報を情報記憶部１３に格納すると共に、秘匿記憶条件記憶部１０に記憶される判別条件に基づき当該ユーザ情報の情報記憶状態（秘匿記憶状態または公開記憶状態）を判別し、判別した情報記憶状態を当該ユーザ情報に対応付けて情報記憶状態記憶部１４に格納する。
【００３６】
そして、ユーザ情報を閲覧する際には、表示要求されたユーザ情報が公開閲覧条件記憶部１５に記憶される判別条件に一致するかどうかを判別し、判別条件に一致する場合には、表示要求されたユーザ情報に対応付けられた情報記憶状態を情報記憶状態記憶部１４から取得し、取得した情報記憶状態が「秘匿記憶状態」ならば、ユーザ情報に替えてダミー情報を表示する為、手間が掛からず簡単な操作で開示制限することができる。
【００３７】
Ｃ．変形例
次に、図７を参照して変形例による情報処理装置３００について説明する。図７に図示する変形例が図１に図示した実施形態による情報処理装置１００と相違する点は、通信手段３０を備え、ユーザ情報を保存する際に情報記憶状態関連付け手段１２が通信手段３０からユーザ情報保存時のネットワーク状態（「ドメイン名」や「ＩＰアドレス」）を取得することにある。
【００３８】
こうした変形例において、秘匿記憶条件記憶部１０に記憶される判別条件の情報種別が「ネットワーク」であると、秘匿記憶条件は「ドメイン名」や「ＩＰアドレス」となり、通信手段３０を介して取得したネットワーク状態（「ドメイン名」や「ＩＰアドレス」）が秘匿記憶条件に一致すると、情報記憶状態関連付け手段１２が当該ユーザ情報を端末所有ユーザ以外の他者に開示しない秘匿記憶状態に設定することができる。
【００３９】
本発明は、上述した実施形態や変形例に限定されるものではなく、本発明の範囲で種々変形することが可能である。一例として挙げれば、本実施形態は、携帯電話やスマートフォン等の端末装置に限らず、他の装置（ゲーム装置、タブレットＰＣ、ラップトップ／ノートＰＣなど）にも適用可能である。
【００４０】
また、上述した実施形態では、秘匿記憶条件記憶部１０に記憶される判別条件（情報種別および秘匿記憶条件）として、情報種別が「位置情報」ならば、秘匿記憶条件は「緯度・経度で指定される位置範囲」あるいは「地名（駅名）」、情報種別が「ネットワーク」ならば、秘匿記憶条件は「ドメイン名」や「ＩＰアドレス」、情報種別が「キーワード」ならば、秘匿記憶条件は「プライベート」としたが、これらに限定されず、例えば日付や日時などユーザ所望の情報種別および秘匿記憶条件を任意に定義できる態様であって構わない。これは公開閲覧条件記憶部１７に記憶される判別条件（情報種別および秘匿記憶条件）についても同様である。
【００４１】
Ｄ．付記１記載の通信制御装置と実施形態との対応関係
次に、図８を参照して付記１記載の情報処理装置と実施形態との対応関係について説明する。図８は、付記１記載の情報処理装置の構成を示すブロック図である。この図において、ユーザ情報を記憶するユーザ情報記憶手段４０は、実施形態における情報記憶手段１１および情報記憶部１３の各機能に相当する。ユーザ情報記憶手段４０に記憶されるユーザ情報の記憶状態を判別する状態判別手段５０は、実施形態における秘匿記憶条件記憶部１０、情報記憶手段１１および情報記憶状態関連付け手段１２の各機能に相当する。
【００４２】
状態判別手段５０により判別された記憶状態を、ユーザ情報記憶手段４０に記憶されたユーザ情報に対応付けて記憶する状態記憶手段６０は、実施形態における情報記憶状態関連付け手段１２および情報記憶状態記憶部１４の各機能に相当する。表示要求されたユーザ情報の記憶状態を状態記憶手段６０から取得する状態取得手段７０は、実施形態における情報表示手段１６および情報記憶状態適用手段１７の各機能に相当する。
【００４３】
状態取得手段７０により取得された記憶状態が第１の記憶状態の場合には、表示要求されたユーザ情報をユーザ情報記憶手段４０から読み出して表示し、一方、状態取得手段７０により取得された記憶状態が第２の記憶状態の場合には、表示要求されたユーザ情報に替えてダミー情報を表示する情報表示手段８０は、実施形態における公開閲覧条件記憶部１５、情報表示手段１６および情報記憶状態適用手段１７の各機能に相当する。
【００４４】
上記構成によれば、ユーザ情報記憶手段４０に記憶されるユーザ情報の記憶状態を判別し、判別された記憶状態を、ユーザ情報記憶手段４０に記憶されたユーザ情報に対応付けて状態記憶手段６０に記憶しておき、表示要求されたユーザ情報の記憶状態を状態記憶手段６０から取得し、取得された記憶状態が第１の記憶状態ならば、表示要求されたユーザ情報をユーザ情報記憶手段４０から読み出して表示し、一方、取得された記憶状態が第２の記憶状態ならば、表示要求されたユーザ情報に替えてダミー情報を表示するので、手間が掛からず簡単な操作で開示制限することができる。
【００４５】
Ｅ．付記
次に、本発明の特徴を付記する。なお、上記の実施形態の一部又は全部は、以下の付記のように記載され得るが、その記載に限定されるものではない。
【００４６】
（付記１）
ユーザ情報を記憶するユーザ情報記憶手段と、
前記ユーザ情報の記憶状態を判別する状態判別手段と、
前記状態判別手段により判別された記憶状態を、前記ユーザ情報記憶手段に記憶されたユーザ情報に対応付けて記憶する状態記憶手段と、
表示要求されたユーザ情報の記憶状態を、前記状態記憶手段から取得する状態取得手段と、
前記状態取得手段により取得された記憶状態が第１の記憶状態の場合には、表示要求されたユーザ情報を前記ユーザ情報記憶手段から読み出して表示し、一方、前記状態取得手段により取得された記憶状態が第２の記憶状態の場合には、表示要求されたユーザ情報に替えてダミー情報を表示する情報表示手段と
を具備することを特徴とする情報処理装置。
【００４７】
（付記２）
前記状態判別手段は、前記ユーザ情報を他者に開示可能な情報として扱う第１の記憶状態又は他者に開示しない情報として扱う第２の記憶状態の何れであるかを判別することを特徴とする付記１記載の情報処理装置。
【００４８】
（付記３）
前記状態判別手段は、情報種別および秘匿記憶条件を記憶する秘匿記憶条件記憶手段を備え、この秘匿記憶条件記憶手段に記憶される秘匿記憶条件に該当する情報種別が前記ユーザ情報中に含まれるか否かに応じて、第１の記憶状態又は第２の記憶状態の何れであるかを判別することを特徴とする付記１乃至２の何れかに記載の情報処理装置。
【００４９】
（付記４）
ユーザ情報を記憶するユーザ情報記憶過程と、
前記ユーザ情報記憶過程により記憶されたユーザ情報の記憶状態を判別する状態判別過程と、
前記状態判別過程により判別された記憶状態を、前記ユーザ情報記憶過程で記憶されたユーザ情報に対応付けて記憶する状態記憶過程と、
前記状態記憶過程で記憶された記憶状態の内、表示要求されたユーザ情報の記憶状態を取得する状態取得過程と、
前記状態取得過程により取得された記憶状態が第１の記憶状態の場合には、前記ユーザ情報記憶過程で記憶されたユーザ情報の内、表示要求されたユーザ情報を読み出して表示し、一方、前記状態取得過程により取得された記憶状態が第２の記憶状態の場合には、表示要求されたユーザ情報に替えてダミー情報を表示する情報表示過程と
を具備することを特徴とする情報処理方法。
【００５０】
（付記５）
前記状態判別過程は、前記ユーザ情報を他者に開示可能な情報として扱う第１の記憶状態又は他者に開示しない情報として扱う第２の記憶状態の何れであるかを判別することを特徴とする付記４記載の情報処理方法。
【００５１】
（付記６）
前記状態判別過程は、情報種別および秘匿記憶条件を記憶する秘匿記憶条件記憶部を備え、この秘匿記憶条件記憶部に記憶される秘匿記憶条件に該当する情報種別が前記ユーザ情報中に含まれるか否かに応じて、第１の記憶状態又は第２の記憶状態の何れであるかを判別することを特徴とする付記４乃至５の何れかに記載の情報処理方法。
【００５２】
（付記７）
コンピュータに、
ユーザ情報を記憶するユーザ情報記憶ステップと、
前記ユーザ情報記憶ステップにより記憶されたユーザ情報の記憶状態を判別する状態判別ステップと、
前記状態判別ステップにより判別された記憶状態を、前記ユーザ情報記憶ステップで記憶されたユーザ情報に対応付けて記憶する状態記憶ステップと、
前記状態記憶ステップで記憶された記憶状態の内、表示要求されたユーザ情報の記憶状態を取得する状態取得ステップと、
前記状態取得ステップにより取得された記憶状態が第１の記憶状態の場合には、前記ユーザ情報記憶ステップで記憶されたユーザ情報の内、表示要求されたユーザ情報を読み出して表示し、一方、前記状態取得ステップにより取得された記憶状態が第２の記憶状態の場合には、表示要求されたユーザ情報に替えてダミー情報を表示する情報表示ステップと
を実行させることを特徴とするプログラム。
【００５３】
（付記８）
前記状態判別ステップは、前記ユーザ情報を他者に開示可能な情報として扱う第１の記憶状態又は他者に開示しない情報として扱う第２の記憶状態の何れであるかを判別することを特徴とする付記７記載のプログラム。
【００５４】
（付記９）
前記状態判別ステップは、情報種別および秘匿記憶条件を記憶する秘匿記憶条件記憶部を備え、この秘匿記憶条件記憶部に記憶される秘匿記憶条件に該当する情報種別が前記ユーザ情報中に含まれるか否かに応じて、第１の記憶状態又は第２の記憶状態の何れであるかを判別することを特徴とする付記７乃至８の何れかに記載のプログラム。
【符号の説明】
【００５５】
１０  秘匿記憶条件記憶部
１１  情報記憶手段
１２  情報記憶状態関連付け手段
１３  情報記憶部
１４  情報記憶状態記憶部
１５  公開閲覧条件記憶部
１６  情報表示手段
１７  情報記憶状態適用手段
３０  通信手段
４０  ユーザ情報記憶手段
５０  状態判別手段
６０  状態記憶手段
７０  状態取得手段
８０  情報表示手段
１００、３００  情報処理装置
【図１】
2013065230.tif 000003
【図２】
2013065230.tif 000004
【図３】
2013065230.tif 000005
【図４】
2013065230.tif 000006
【図５】
2013065230.tif 000007
【図６】
2013065230.tif 000008
【図７】
2013065230.tif 000009
【図８】
2013065230.tif 000010